【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
神経性刺激療法を送達する際に使用する神経性刺激信号を送達するように構成されている神経性刺激送達システムと、
咳を検出する際に使用する咳センサからの信号を受信するように構成されている咳検出器と、
該神経性刺激送達システムを制御することと、該咳検出器から検出された咳を示す信号を受信することと、該検出された咳が送達された神経性刺激療法に起因するかどうかを決定することと、該咳を鎮静するために該神経性刺激療法を自動的に加減することとを行うように構成されている制御器と、
を備える、システム。
【請求項２】
前記咳検出器は、加速度計、音響センサ、またはインピーダンスセンサを含む、請求項１に記載のシステム。
【請求項３】
前記制御器は、前記神経性刺激療法に起因する今後の咳を予防するために、該神経性刺激療法を自動的に加減するように構成されている、請求項１に記載のシステム。
【請求項４】
前記制御器は、前記神経性刺激療法に起因する今後の咳を軽減するために、該神経性刺激療法を自動的に加減するように構成されている、請求項１に記載のシステム。
【請求項５】
前記神経性刺激信号は、二相性波形を含み、前記制御器は、該二相性波形の少なくとも１つの相に対する少なくとも１つの刺激パラメータを独立して調整するように構成されている、請求項１に記載のシステム。
【請求項６】
少なくとも２つの神経性刺激電極における荷電平衡を監視することと、荷電平衡を許容レベルに維持するために、前記二相性波形の前記少なくとも１つの相に対する前記少なくとも１つの刺激パラメータを調整することとを行うように構成されている、荷電平衡モニタをさらに備える、請求項５に記載のシステム。
【請求項７】
前記神経性刺激信号は、正相および逆相を有する二相性波形を含み、前記制御器は、前記神経性刺激療法に起因する今後の咳を回避するために、該波形の該逆相に対する少なくとも１つの刺激パラメータを独立して調整するように構成されている、請求項５に記載のシステム。
【請求項８】
前記神経性刺激信号は、第１相および第２相を有する二相性波形を含み、前記制御器は、前記神経性刺激療法に起因する今後の咳を回避するために、該波形の該第２相に対する少なくとも１つの刺激パラメータを独立して調整することと、該神経性刺激療法を送達し続けるために、該第１相に対する該刺激パラメータを維持することとを行うように構成されている、請求項５に記載のシステム。
【請求項９】
神経性刺激療法を送達する際に使用する神経性刺激信号を送達するように構成されている神経性刺激送達システムであって、該神経性刺激は、第１相および第２相を有する二相性波形を有する、神経性刺激送達システムと、
副作用を検出する際に使用する信号を受信するように構成されている副作用検出器と、
該神経性刺激送達システムを制御することと、該副作用検出器から検出された副作用を示す信号を受信することと、該検出された副作用が送達された神経性刺激療法に起因するかどうかを決定することと、該副作用を鎮静するために、該二相性波形の少なくとも１つの相に対する少なくとも１つの刺激パラメータを独立して調整することを含む該神経性刺激療法を自動的に加減することとを行うように構成されている制御器と、
を備える、システム。
【請求項１０】
前記検出された副作用は、咳を含む、請求項９に記載のシステム。
【請求項１１】
前記検出された副作用は、声に関連する副作用を含む、請求項９に記載のシステム。
【請求項１２】
前記検出された副作用は、呼吸器関連副作用を含む、請求項９に記載のシステム。
【請求項１３】
前記検出された副作用は、心臓関連副作用を含む、請求項９に記載のシステム。
【請求項１４】
前記検出された副作用は、患者の不快感を含む、請求項９に記載のシステム。
【請求項１５】
少なくとも２つの神経性刺激電極における荷電平衡を監視することと、荷電平衡を指定閾値内に維持するために、前記少なくとも１つの刺激パラメータを調整することとを行うように構成されている、荷電平衡モニタをさらに備える、請求項９に記載のシステム。
【手続補正２】
【補正対象書類名】明細書
【補正対象項目名】０００７
【補正方法】変更
【補正の内容】
【０００７】
本節における記述は、本出願の教示の一部の概説であって、本主題の排他的または包括的扱いであることを意図してしない。本主題についてのさらなる詳細は、発明を実施するための最良の形態および添付の請求項の中において見られる。以下の詳細な説明を読みかつ理解し、それぞれが限定的な意味に理解されるべきではない、その一部を形成する図面を見ることによって、本発明の他の局面が当業者には明らかとなる。本発明の範囲は、添付の請求項およびそれらの均等物によって定義される。
例えば、本発明は以下の項目を提供する。
（項目１）
神経性刺激療法を送達する際の使用のための、神経性刺激信号を送達するように適合される、神経性刺激送達システムと、
咳を検出する際の使用のための、咳センサからの信号を受信するように適合される、咳検出器と、
該神経性刺激送達システムを制御し、該咳検出器から検出された咳を示す信号を受信し、該検出された咳が送達された神経性刺激療法に起因するかどうかを判定し、かつ、該咳を鎮静するために該神経性刺激療法を自動的に加減するように適合される、制御器と、
を備える、システム。
（項目２）
上記咳検出器は、加速度計を含む、項目１に記載のシステム。
（項目３）
上記咳検出器は、音響センサを含む、項目１に記載のシステム。
（項目４）
上記咳検出器は、インピーダンスセンサを含む、項目１に記載のシステム。
（項目５）
上記制御器は、上記神経性刺激療法に起因する今後の咳を予防するために、該神経性刺激療法を自動的に加減するように適合される、項目１に記載のシステム。
（項目６）
上記制御器は、上記神経性刺激療法に起因する今後の咳を軽減するために、該神経性刺激療法を自動的に加減するように適合される、項目１に記載のシステム。
（項目７）
上記神経性刺激信号は、二相性波形を含み、上記制御器は、該二相性波形の少なくとも１つの相に対する少なくとも１つの刺激パラメータを独立して調整するように適合される、項目１に記載のシステム。
（項目８）
少なくとも２つの神経性刺激電極における荷電平衡を監視し、かつ荷電平衡を許容レベルに維持するために、上記二相性波形の上記少なくとも１つの相に対する上記少なくとも１つの刺激パラメータを調整するように適合される、荷電平衡モニタをさらに備える、項目７に記載のシステム。
（項目９）
上記少なくとも１つの刺激パラメータは、振幅を含む、項目７に記載のシステム。
（項目１０）
上記少なくとも１つの刺激パラメータは、パルス幅を含む、項目７に記載のシステム。
（項目１１）
上記神経性刺激信号は、正相および逆相を有する二相性波形を含み、上記制御器は、上記神経性刺激療法に起因する今後の咳を回避するために、該波形の該逆相に対する少なくとも１つの刺激パラメータを独立して調整するように適合される、項目７に記載のシステム。
（項目１２）
上記神経性刺激信号は、第１相および第２相を有する二相性波形を含み、上記制御器は、上記神経性刺激療法に起因する今後の咳を回避するために、該波形の該第２相に対する少なくとも１つの刺激パラメータを独立して調整し、かつ、該神経性刺激療法を送達し続けるために、該第１相に対する該刺激パラメータを維持するように適合される、項目７に記載のシステム。
（項目１３）
神経性刺激療法を送達する際に使用するための神経性刺激信号を送達するように適合される、神経性刺激送達システムであって、該神経性刺激は、第１相および第２相を有する二相性波形を有する、神経性刺激送達システムと、
副作用を検出する際に使用するための信号を受信するように適合される、副作用検出器と、
該神経性刺激送達システムを制御し、該副作用検出器から検出された副作用を示す信号を受信し、該検出された副作用が送達された神経性刺激療法に起因するかどうかを判定し、かつ、該副作用を鎮静するために、該二相性波形の少なくとも１つの相に対する少なくとも１つの刺激パラメータを独立して調整するステップを含んで、該神経性刺激療法を自動的に加減するように適合される、制御器と、
を備える、システム。
（項目１４）
上記検出された副作用は、咳を含む、項目１３に記載のシステム。
（項目１５）
上記検出された副作用は、声関連副作用を含む、項目１３に記載のシステム。
（項目１６）
上記検出された副作用は、呼吸器関連副作用を含む、項目１３に記載のシステム。
（項目１７）
上記検出された副作用は、心臓関連副作用を含む、項目１３に記載のシステム。
（項目１８）
上記検出された副作用は、患者の不快感を含む、項目１３に記載のシステム。
（項目１９）
少なくとも２つの神経性刺激電極における荷電平衡を監視し、かつ荷電平衡を指定閾値内に維持するために、上記少なくとも１つの刺激パラメータを調整するように適合される、荷電平衡モニタをさらに備える、項目１３に記載のシステム。
（項目２０）
神経性刺激療法を適用するための手段と、
該神経性刺激療法が咳を引き起こすかどうかを判定するための手段と、
該神経性刺激療法によって引き起こされる該咳を鎮静するために、該神経性刺激療法を加減するための手段と、
を備える、システム。
（項目２１）
上記神経性刺激療法が咳を引き起こすかどうかを判定するための上記手段は、加速度計、音響センサ、またはインピーダンスセンサを使用して該咳を検出するための手段を含む、項目２０に記載のシステム。
（項目２２）
二相性神経性刺激波形を使用して神経性刺激療法を適用するための手段と、
該神経性刺激療法が副作用を引き起こすかどうかを判定するための手段と、
該神経性刺激療法によって引き起こされる副作用を鎮静するために、該神経性刺激療法を加減するための手段であって、該神経性刺激療法を加減するステップは、該二相性波形の少なくとも１つの相特有の刺激パラメータを調整するステップを含む、手段と、
を備える、システム。
（項目２３）
上記神経性刺激療法が副作用を引き起こすかどうかを判定するための上記手段は、該神経性刺激療法が、咳、声関連副作用、呼吸器関連副作用、心臓関係副作用、または患者の不快感を引き起こすかどうかを判定するための手段を含む、項目２２に記載のシステム。
（項目２４）
神経性刺激療法を適用するステップと、
該神経性刺激療法が咳を引き起こすかどうかを判定するステップと、
該神経性刺激療法によって引き起こされる該咳を鎮静するために、該神経性刺激療法を加減するステップと、
を包含する、方法。
（項目２５）
神経性刺激療法を適用するステップは、二相性パルスを適用するステップを含み、該神経性刺激療法を加減するステップは、二相性波形の少なくとも１つの相特有の刺激パラメータを調整するステップを含む、項目２４に記載の方法。
（項目２６）
上記神経性刺激療法によって引き起こされる上記咳を鎮静するために、該神経性刺激療法を加減するステップは、該神経性刺激療法によって引き起こされる該咳を軽減するために、該神経性刺激療法を加減するステップを含む、項目２４に記載の方法。
（項目２７）
上記神経性刺激療法によって引き起こされる上記咳を鎮静するために、該神経性刺激療法を加減するステップは、該神経性刺激療法によって引き起こされる該咳を予防するために、該神経性刺激療法を加減するステップを含む、項目２４に記載の方法。
（項目２８）
上記神経性刺激療法が咳を引き起こすかどうかを判定するステップは、咳を検出するステップと、該検出された咳が神経性刺激と同期するかどうかを判定するステップとを含む、項目２４に記載の方法。
（項目２９）
上記神経性刺激療法が咳を引き起こすかどうかを判定するステップは、該咳を検出するために音響センサを使用するステップを含む、項目２４に記載の方法。
（項目３０）
上記神経性刺激療法が咳を引き起こすかどうかを判定するステップは、該咳を検出するために加速度計を使用するステップを含む、項目２４に記載の方法。
（項目３１）
上記神経性刺激療法が咳を引き起こすかどうかを判定するステップは、該咳を検出するためにインピーダンスセンサを使用するステップを含む、項目２４に記載の方法。
（項目３２）
上記神経性刺激療法が咳を引き起こすかどうかを判定するステップは、該咳が神経性刺激と同時に発生するかどうかを判定するステップを含む、項目２４に記載の方法。
（項目３３）
二相性神経性刺激波形を使用して神経性刺激療法を適用するステップと、
該神経性刺激療法が副作用を引き起こすかどうかを判定するステップと、
該神経性刺激療法によって引き起こされる該副作用を鎮静するために、該神経性刺激療法を加減するステップであって、該神経性刺激療法を加減するステップは、該二相性波形の少なくとも１つの相特有の刺激パラメータを調整するステップを含む、ステップと、
を包含する、方法。
（項目３４）
電極／組織の境界面における電荷蓄積を許容閾値内に維持するステップをさらに包含する、項目３３に記載の方法。
（項目３５）
上記神経性刺激療法が副作用を引き起こすかどうかを判定するステップは、該神経性刺激療法が咳を引き起こすかどうかを判定するステップを含む、項目３３に記載の方法。
（項目３６）
上記神経性刺激療法が副作用を引き起こすかどうかを判定するステップは、該神経性刺激療法が声関連副作用を引き起こすかどうかを判定するステップを含む、項目３３に記載の方法。
（項目３７）
上記神経性刺激療法が副作用を引き起こすかどうかを判定するステップは、該神経性刺激療法が呼吸器関連副作用を引き起こすかどうかを判定するステップを含む、項目３３に記載の方法。
（項目３８）
上記神経性刺激療法が副作用を引き起こすかどうかを判定するステップは、該神経性刺激療法が心臓関連副作用を引き起こすかどうかを判定するステップを含む、項目３３に記載の方法。
（項目３９）
上記神経性刺激療法が副作用を引き起こすかどうかを判定するステップは、該神経性刺激療法が患者の不快感を引き起こすかどうかを判定するステップを含む、項目３３に記載の方法。
（項目４０）
上記神経性刺激療法が副作用を引き起こすかどうかを判定するステップは、該副作用が神経性刺激と同時に発生するかどうかを判定するステップを含む、項目３３に記載の方法。
（項目４１）
上記神経性刺激療法によって引き起こされる上記副作用を鎮静するために、該神経性刺激療法を加減するステップは、該副作用を回避するために該神経性刺激を加減するステップを含む、項目３３に記載の方法。
（項目４２）
上記神経性刺激療法によって引き起こされる上記副作用を鎮静するために、該神経性刺激療法を加減するステップは、該副作用を軽減するために該神経性刺激を加減するステップを含む、項目３３に記載の方法。
（項目４３）
神経性刺激療法を送達する際の使用のために神経性刺激信号を送達するように適合される、神経性刺激送達システムと、該神経性刺激信号の送達を制御するように適合される、制御器と、患者によって経験される少なくとも１つの副作用に関するユーザ入力を受信するように適合される、データ入力装置と、を含む、移動式システムと、
リモートサーバであって、該移動式システムおよび該リモートサーバは、互いに通信するように適合され、該移動式システムは、該リモートサーバに該ユーザ入力を送信するように適合され、該リモートサーバは、該患者によって経験される該少なくとも１つの副作用を鎮静するために該神経性刺激療法を調整する際の使用のために適合される、リモートサーバと、
を備える、システム。
（項目４４）
上記リモートサーバは、上記患者によって経験される上記少なくとも１つの副作用を鎮静するために、上記ユーザ入力を使用して上記神経性刺激療法を自動的に調整するように適合される、項目４３に記載のシステム。
（項目４５）
上記リモートサーバは、上記患者の医師に上記ユーザ入力を伝達するように適合され、該患者によって経験される上記少なくとも１つの副作用を鎮静するために上記神経性刺激療法を調整する際の使用のために、該医師からプログラミング命令を受信する、項目４３に記載のシステム。
（項目４６）
上記リモートサーバは、上記ユーザ入力の受信に応答して、上記移動式システムの問い合せを誘起するように適合され、該移動式システムは、上記患者によって経験される上記少なくとも１つの副作用を鎮静するために上記神経性刺激療法を調整する際の使用のために、該問い合せの結果を伝達するように適合される、項目４３に記載のシステム。
（項目４７）
上記移動式システムは、埋め込み型装置と外部装置とを含み、該埋め込み型装置は、上記神経性刺激送達システムと上記制御器とを含み、該外部装置は、上記データ入力装置を含む、項目４３に記載のシステム。